(57)【要約】【課題】１つの番組あるいはタイトルであっても、ユーザの設定により途中で暗号化鍵情報を変更し、暗号化鍵単位で移動できる保護方式の中であっても、１つの番組或いはタイトルを分割して移動ができるようにする。【解決手段】記録するコンテンツを暗号化鍵単位で暗号化する暗号化部と、暗号化された暗号化コンテンツを第１の記録媒体へ記録し、また記録した前記暗号化コンテンツを読み出す第１のディスクドライバと、前記第１のディスクドライバ内に設けられ、移動命令により、暗号化鍵単位の暗号化コンテンツが読み出されたときは、前記第１の記録媒体から移動した暗号化鍵単位の暗号化コンテンツを削除する削除処理部と、前記第１のディスクドライバにて連続記録中に、前記暗号化部で使用される暗号化鍵を、任意の設定単位で変更する鍵変更処理部を有する。【選択図】図１
2008005398.tif 000002
【特許請求の範囲】
【請求項１】
記録するコンテンツを暗号化鍵単位で暗号化する暗号化部と、
暗号化された暗号化コンテンツを第１の記録媒体へ記録し、また記録した前記暗号化コンテンツを読み出す第１のディスクドライバと、
前記第１のディスクドライバ内に設けられ、移動命令により、暗号化鍵単位の暗号化コンテンツが読み出されたときは、前記第１の記録媒体から移動した暗号化鍵単位の暗号化コンテンツを削除する削除処理部と、
前記第１のディスクドライバにて連続記録中に、前記暗号化部で使用される暗号化鍵を、任意の設定単位で変更する鍵変更処理部と
を有したことを特徴とする暗号化処理を行う記録再生装置。
【請求項２】
前記移動命令は、コンテンツが複製されるのを保護するために、暗号化されたコンテンツが、暗号化鍵単位毎に第１の記録媒体から第２の記録媒体へ移動することのみを許している規格の命令であることを特徴とする請求項１記載の暗号化処理を行う記録再生装置。
【請求項３】
前記鍵変更処理部は、前記任意の設定単位を、予め設定した一定時間単位としていることを特徴とする請求項１記載の暗号化処理を行う記録再生装置。
【請求項４】
前記鍵変更処理部は、前記任意の設定単位を、音声信号の切り替わりに基づいて決定していることを特徴とする請求項１記載の暗号化処理を行う記録再生装置。
【請求項５】
前記鍵変更処理部は、前記任意の設定単位を、電子番組表の時間情報に基づいて決定していることを特徴とする請求項１記載の暗号化処理を行う記録再生装置。
【請求項６】
前記鍵変更処理部は、前記任意の設定単位を、記録媒体上で生成可能な鍵の個数情報を用いて決定していることを特徴とする請求項１記載の暗号化処理を行う記録再生装置。
【請求項７】
前記鍵変更処理部は、前記任意の設定単位を、ユーザが画面上のユーザインターフェースを介して設定した単位で決定していることを特徴とする請求項１記載の暗号化処理を行う記録再生装置。
【請求項８】
記録するコンテンツを暗号化鍵単位で暗号化する暗号化部と、暗号化された暗号化コンテンツを第１の記録媒体へ記録し、また記録した前記暗号化コンテンツを読み出す第１のディスクドライバと、前記第１のディスクドライバ内に設けられ、移動命令により、暗号化鍵単位の暗号化コンテンツが読み出されたときは、前記第１の記録媒体から移動した暗号化鍵単位の暗号化コンテンツを削除する削除処理部とを有する記録再生装置の制御方法において、
前記第１のディスクドライバにて連続記録中に、前記暗号化部で使用される暗号化鍵を、任意の設定単位で変更するようにした
ことを特徴とする暗号化処理を行う記録再生装置の制御方法。
【請求項９】
前記任意の設定単位を、予め設定した一定時間単位としていることを特徴とする請求項８記載の暗号化処理を行う記録再生装置の制御方法。
【請求項１０】
前記任意の設定単位を、音声信号の切り替わりに基づいて決定していることを特徴とする請求項８記載の暗号化処理を行う記録再生装置の制御方法。
【請求項１１】
前記任意の設定単位を、電子番組表の時間情報に基づいて決定していることを特徴とする請求項８記載の暗号化処理を行う記録再生装置の制御方法。
【請求項１２】
前記任意の設定単位を、予め設定した一定時間内でかつ、音声信号の切り替わりに基づいて決定していることを特徴とする請求項８記載の暗号化処理を行う記録再生装置の制御方法。
【発明の詳細な説明】
【技術分野】
【０００１】
この発明は、暗号化処理を行う記録再生装置及び制御方法に関するもので、特にコンテンツ保護機能として移動機能を持つ記録再生装置において有効である。
【背景技術】
【０００２】
記録媒体に記録される、また記録媒体から再生されるコンテンツが、多数複製されないように、コンテンツの移動のみを許したコンテンツ保護規格がある。例えば、アドバンスド・アクセス・コンテンツ・システム（ＡＡＣＳ）と呼ばれる規格である。この規格では、記録媒体に１回で記録した暗号化コンテンツを、コンテンツの再暗号化なしで、他の記録媒体に移動することを規定している。ここで記録再生装置においては、１回目の記録で１つのタイトルが記録されるとき、１つの暗号化鍵が用いられ、２回目の記録で第２のタイトルが記録されるときに、他の異なる暗号化鍵が用いられる。このように、記録が行なわれるたびに、異なる暗号化鍵が用いられる。言い換えると、１度の連続記録で、１つの暗号化鍵が用いられる。
【特許文献１】特開２００４−２２９１１４公報
【発明の開示】
【発明が解決しようとする課題】
【０００３】
上記した従来の暗号化方式及び記録方式であると、例えば１度の連続記録において、チャプター１、チャプター２の映画が記録されることがある。また１度の連続記録において、音楽番組の記録が行なわれ、この番組では、１曲目、２曲目、３曲目、４曲目のコンテンツが含まれることがある。
【０００４】
今、記録媒体Ａに、暗号化鍵Ｋ１で暗号化された１曲目から４曲目のコンテンツが記録されているとする。そして、例えば記録媒体Ａから記録媒体Ｂに，１曲目と２曲目のコンテンツを移動させたとする。すると、上記従来の装置及び方法では、記録媒体Ａに、暗号化鍵Ｋ１で記録されている１曲目、２曲目、３曲目、４曲目のコンテンツのすべてを削除する処理が行われる。
【０００５】
しかしユーザによっては、１曲目と２曲目のコンテンツだけを記録媒体Ｂに移動させて、３曲目と４曲目のコンテンツは、記録媒体Ａに残しておきたいと言う要望がある。しかし、上記したコンテンツ保護方式であると、この要望が満たされず、記録媒体Ａのドライバでは、１曲から４曲目のコンテンツ全体が削除処理されてしまう。
【０００６】
そこでこの発明の一実施の形態では、連続して録画される１つの番組あるいはタイトルであっても、ユーザの設定により途中で暗号化鍵情報を変更することができ、暗号化鍵単位で移動できる保護方式の中であっても、１つの番組或いはタイトルを分割して移動することができる暗号化処理を行う記録再生装置及び制御方法を提供することを目的とする。
【課題を解決するための手段】
【０００７】
この実施の形態によると、記録するコンテンツを暗号化鍵単位で暗号化する暗号化部と、暗号化された暗号化コンテンツを第１の記録媒体へ記録し、また記録した前記暗号化コンテンツを読み出す第１のディスクドライバと、前記第１のディスクドライバ内に設けられ、移動命令により、暗号化鍵単位の暗号化コンテンツが読み出されたときは、前記第１の記録媒体から移動した暗号化鍵単位の暗号化コンテンツを削除する削除処理部と、前記第１のディスクドライバにて連続記録中に、前記暗号化部で使用される暗号化鍵を、任意の設定単位で変更する鍵変更処理部とを有する。
【発明の効果】
【０００８】
上記の手段により、１つの番組或いはタイトルを分割して、記録媒体Ａから記録媒体Ｂへ移動することができ、装置の使い勝手を向上することができる。
【発明を実施するための最良の形態】
【０００９】
以下、図面を参照しながらこの発明の実施の形態について説明する。まず図１にはこの発明が適用された情報記録再生装置の全体的なブロック構成を示している。図１では、記録媒体としてＤＶＤなどの光ディスクとハードディスクの双方を取り扱うことができる装置として示しているが、ハードディスクあるいはＤＶＤなどの光ディスクは例えば半導体メモリによる記録媒体などに置換されてもよい。
【００１０】
この装置は、例えば衛星放送用チューナ１１、地上波デジタル放送用チューナ１２、地上アナログ放送用チューナ１３、などを搭載し、各種の放送信号を受信することができる。また外部入力部１４、記録再生装置１５からの入力部も備える。選択及び復号処理部２１は、チューナ及び外部入力部１４などからの信号を選択し、録画用信号としてエンコーダ２１に導入することができる。
【００１１】
エンコーダ２１は、バッファメモリ２２を利用して、録画用信号を所定のフォーマットに変換し、暗号化復号化処理部４１に送る。この変換された信号をここではコンテンツと称することにする。所定のフォーマットとは、例えばデジタルバーサタイルディスク（ＤＶＤ）規格に基づいたフォーマットである。ＤＶＤ  Ｖｉｄｅｏフォーマットや、ＤＶＤ-レコーディング規格で規定されたフォーマット（ＤＶＤ  ＶＲフォーマット、ＤＶＤ  Ｒフォーマット、ＤＶＤ  ＲＷフォーマットがある）、さらにレコーディング用ハイデンティシー又はハイディフィニションＤＶＤ（ＨＤ  ＤＶＤ）規格などがある。
【００１２】
暗号化復号処理部４１では、コンテンツに対して暗号化が必要な場合に、暗号化鍵を用いて暗号化を施す。暗号化が施されたコンテンツを暗号化コンテンツと称する。なおトランスポートストリームから抽出したパケットエレメンタリーストリームがエンコーダ２１から、直接、暗号化復号化部４１に供給される場合もある。
【００１３】
暗号化復号化部４１から出力される暗号化コンテンツは、記録再生処理部４２に入力され、エラー訂正コードの付加、ＲＬＬ変調処理などが施され、ハードディスクドライバ４４若しくは光ディスクドライバ４５に入力される。変調信号がいずれのディスクドライバ４４，４６に入力されるかは、制御部５１からのコマンドに応じて切り替えらえる。なお、ディスクドライバ４４、４６は、それぞれハードディスク４５、光ディスク４７に対する回転制御系、レーザ駆動系、光学系などを有する。
【００１４】
今、記録媒体としてハードディスク４５が指定されているものとすると、変調信号はハードディスクドライバ４４に入力され、ハードディスク４５に記録される。逆に、記録媒体として光ディスク４７が指定されているものとすると、変調信号は光ディスクドライバ４６に入力され、光ディスク４７に記録される。ハードディスクドライバ４４には、後で説明する移動処理部４４ａ，削除処理部４４ｂが含まれる。また光ディスクドライバ４６にも移動処理部４６ａ，削除処理部４６ｂが含まれる。
【００１５】
ハードディスクドライバ４４により、ハードディスク４５から読み出された信号は、記録再生処理部４２で復調処理、エラー訂正処理などが施される。復調された信号は、暗号化復号化部４１にて復号化処理が行われる。同様に、光ディスクドライバ４６により、光ディスク４７から読み出された信号は、記録再生処理部４２で復調処理、エラー訂正処理などが施される。復調された信号は、暗号化復号化部４１にて復号化処理が行われる。
【００１６】
暗号化復号化部４１から得られた復号化コンテンツは、デコーダ３１にておいて、デコード処理される。ここでは、例えばＤＶＤフォーマットのコンテンツが、パケット分離され、オーディオストリーム、ビデオストリームなどに分離される。
【００１７】
オーディオストリームは、ＰＣＭ方式の復調処理、或いはＭＰＧ方式の復調処理を施され、オーディオセレクタ３２を介してデジタルアナログ（Ｄ／Ａ）変換器３３に入力されアナログ信号に変換される。アナログオーディオ信号はスピーカ３４にて音声信号として出力される。
【００１８】
ビデオストリームは、例えばＭＰＥＧ２方式の復調処理を施され、ビデオミキシング部３５に入力される。ビデオミキシング部３５の出力は、Ｄ／Ａ変換器３５で変換されたビデオ信号は、ディスプレイ３７に入力される。ビデオミキシング部３５では、メイン映像データに対して、制御部５１からの文字、図形などの表示データ（オンスクリーンディスプレイデータとも称される）を多重することができる。また、エンコーダ２１からの出力信号がベースバンド信号を多重することもできる。
【００１９】
制御部５１は、マイクロコンピュータを含み、この記録装置の各ブロックを統括して制御する。制御部５２には、動作モードなどを表示する表示部５２が接続されている。また操作信号入力部（リモートコントローラを含む）５３から、記録、再生、削除、選局、チャンネル選択などの操作信号を入力することができる。
【００２０】
またハードディスク４５あるいは光ディスク４７に記録されている複数番組のビデオオブジェクトを、一部削除したり、異なる番組のオブジェクトをつなげたり、といった編集処理を行うこともできる。
【００２１】
また制御部５１は、ネットワークインターフェース（図示せず）を介して、外部ネットワークに接続することが可能である。これにより、外部のサーバーから電子番組案内情報（ＤＥＰＧ：Dynamic Electronic Program Guide）を取り込むことも可能である。
【００２２】
さらに制御部５１は、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。またマイクロコンピュータブロック３０は、装置の各ブロックを統括して制御するために必要な各種の情報処理部を有するもので、ワークＲＡＭ、ディレクトリ検出部、ＶＭＧ（全体のビデオ管理情報）情報作成部、パケットヘッダ処理部、シーケンスヘッダ処理部などを備える。また制御部５１は、録画を実行する際の管理情報の制御部と、編集を実行する際の管理情報制御部も備える。
【００２３】
さらに、制御部５１は、ＥＰＧ情報処理部（番組案内情報のテーブルを有する番組案内情報処理部）５１ａ、チューナなどを制御する選局処理制御部５１ｂを有する。また基本的な制御手段として、この制御部５１は、記録処理制御部５１ｃ、再生処理制御部５１ｄを含む。また表示処理制御部５１ｈを含む。表示処理制御部５１ｈは、ユーザの操作に応じてグラフィックユーザインタフェースとなる画面を出力する。
【００２４】
特にこの装置は、鍵設定部５１ｅ，移動処理制御部５１ｆ，鍵変更処理制御部５１ｇ，表示処理制御部５１ｈ，を含む。鍵設定部５１ｅは、コンテンツ保護が必要なコンテンツが取り扱われる場合、暗号化復号化部４１に対して、暗号化鍵を設定する部分である。移動処理制御部５１ｆは、操作信号に基づいて、ハードディスク４５に記録されている暗号化コンテンツＡが、例えば光ディスク４７に移動指示されたとき、その移動を実現するためのものである。このときは、ハードディスクドライバ４４の移動処理部４４ａがハードディスク４５から読み取られた暗号化コンテンツをそのまま光ディスクドライバ４６に転送する。このとき、光ディスクドライバ４６は、暗号化コンテンツをそのまま光ディスク４７に記録する。暗号化コンテンツが移動される単位は、暗号化鍵単位に対応する。
【００２５】
この装置では、暗号化コンテンツの移動単位をユーザの設定により決めることができる。そのために制御部５１には、鍵変更処理制御部５１ｇが設けられている。この鍵変更処理制御部５１ｇは、変更条件設定部５１ｇ１を含む。この鍵変更処理制御部５１ｇは、暗号化すべきコンテンツがハードディスク４５あるいは光ディスクに記録されるときに、暗号化鍵を変更条件に基づいて自動的に変更する。変更条件は、変更条件設定部５１ｇ１に設定されている。
【００２６】
図２はこの発明の装置の動作例を模式的に示している。今、ハードディスク４５に音楽番組が録画されているものとする。そしてミュージック１、２曲目が３０分、ミュージック３，４曲目が３０分放映されるものとする。さらにここで、ユーザが暗号化鍵の変更条件として３０分単位を設定しているものとする。
【００２７】
またハードディスク４５に対しては、電子番組表の情報を用いる予約録画機能により各タイトルが記録されるものとする。すると、例えばテーブル４５Ａに示すように、音楽番組のミュージック１、２曲目の録画時において暗号化鍵Ａが採用され、ミュージック３、４曲目の録画時において暗号化鍵Ｂが採用される。ニュース及びドラマが３０分番組であれば、ニュース、ドラマの録画時において暗号化鍵Ｃ，Ｄがそれぞれ採用される。なおこれらの番組はコンテンツ保護が必要な番組として説明している。コンテンツ保護が不要な番組の録画時には暗号化鍵は使用されない。
【００２８】
上記のように暗号化鍵が使用された場合、１つの番組の連続録画動作時に複数個（上記例では２個）の暗号化鍵を使用することができる。このことは、暗号化鍵単位で移動を許しているコンテンツ保護規格において、ユーザが設定した時間単位（上記の例では３０分単位）で、コンテンツの移動を実施できることを意味する。
【００２９】
この結果、音楽番組のミュージック１，２曲目のみハードディスク４５から光ディスク４７に移動する処理を行うことができる。図２のテーブル４７Ａは、ミュージック１，２曲目が移動した様子を示している。このためハードディスク４５のミュージック１，２曲目は、削除される。
【００３０】
従来は、１つの番組を連続して記録媒体に記録するとき、途中で暗号化鍵を変更するようなことがなかった。このために、上記の例のように、音楽番組のミュージック１，２曲目のみハードディスク４５から光ディスク４７に移動すると、ハードディスク４５においては、ミュージック１，２，３，４曲目がすべて削除されていた。これはコンテンツ保護規格が移動処理時は、暗号化鍵単位でデータを取り扱うという規格であるからである。
【００３１】
しかし、本実施形態によると、上記のように１つの番組を連続して記録媒体に記録するとき、ユーザの設定に応じて途中で暗号化鍵を変更できるので、コンテンツの部分的な移動を実現することができる。暗号化鍵の変更は、制御部５１から暗号化制御コマンドが暗号化制御部４１に送られたとき、実行される。
【００３２】
図３は、さらにまたこの発明の装置の動作例を模式的に示している。今、ハードディスク４５にテーブル４５Ｂに示すようなタイトルが記録されているものとする。このテーブル４５Ｂには、また各タイトルの時間帯及び暗号化鍵の種類が記述されている。ここで映画（Ａ），映画（Ｂ）とは連続した１つの番組で放映されたものであるとする。本装置では、１時間半を鍵変更時間として設定しているものとする。すると、映画（Ａ）が暗号化鍵Ｎｏ．１，映画（Ｂ）が暗号化鍵Ｎｏ．２で暗号化されて記録される。
【００３３】
このような場合は、映画（Ａ）と映画（Ｂ）は、別々の光ディスク４７１、４７２に移動させることができる。即ち、光ディスク４７１に映画（Ｂ）が移動され、光ディスク４７２に映画（Ａ）が移動された様子を示している。実際の移動処理においては、例えば光ディスク４７２が光ディスクドライバ４５に装填される。次に、ユーが操作部を操作することにより、ハードディスク４５に保存されているタイトルメニューが表示される。次にユーザが操作部を介して、移動を希望するタイトル番号（１Ａ）を選択する。次にユーザは、操作部の決定キーを操作する。これにより移動処理が実行される。そして、移動が完了すると、ハードディスク４５のタイトル番号１Ａの映画は削除処理部により削除される。
【００３４】
次に、光ディスクが入れ替えられ、次に光ディスク４７１が光ディスクドライバ４５に装填される。次に、ユーが操作部を操作することにより、ハードディスク４５に保存されているタイトルメニューが表示される。次にユーザが操作部を介して、移動を希望するタイトル番号（今度は１Ｂ）を選択する。次にユーザは、操作部の決定キーを操作する。これにより移動処理が実行される。そして、移動が完了すると、ハードディスク４５のタイトル番号１Ｂの映画は削除処理部により削除される。
【００３５】
上記した説明は、移動対象となるタイトルがハードディスク４５に保存されている如く説明した。しかし、移動対象となるタイトルが、光ディスクに保存されているような場合もある。このような場合は、光ディスクからハードディスクに所望のタイトルが移動されることになる。
【００３６】
図４には、例えばハードディスク４５に対して、コンテンツ保護を必要とする番組が録画されるときの動作例を示している。録画する番組が暗号化を必要とするものであるかどうかを判定する（ステップＳＡ１）。暗号化を必要とする番組であるかどうかは、番組と同時に送られてくる管理情報の中に、コンテンツ保護に関する情報が含まれているので、制御部５１がこのことを判断する。暗号化が必要なコンテンツの場合、最初の暗号化用の鍵を設定し（ステップＳＡ２）、記録処理が実行される（ステップＳＡ５）。記録の途中において、暗号化鍵の変更条件が成立したかどうかの判定が行なわれる（ステップＳＡ３）。暗号化鍵の変更条件は、ユーザの設定により決まり、種々の設定例があり後で説明する。暗号化鍵の変更条件が成立したら鍵が変更される（ステップＳＡ４）。記録の途中で記録が終了（録画停止操作、録画予約時間の終了など）したら（ステップＳＡ６）、動作が終了する。
【００３７】
図５では、暗号化鍵の変更条件が、一定時間毎の変更である場合の動作フローを示している。録画がスタートして（ステップＳＢ１）、時間カウンタがスタートする（ステップＳＢ２）。そして録画中にカウンタ値が設定値に等しくなると、暗号化鍵変更条件成立フラグが出力される。これにより実際に暗号化鍵の変更が実行される。
【００３８】
録画が続いていれば（ステップＳＢ５）、カウンタのカウント値がクリアされ（ステップＳＢ６）、再度時間カウンタがスタートされる（ステップＳＢ２）。
【００３９】
上記の処理では、時間経過が監視されている。しかしこれに限らず図６に示すように、録画開始から所定時間経過し（ステップＳＣ１）、次に、オーディオ信号の無音期間があったかどうかを判定し（ステップＳＣ２）、無音期間があったときに、暗号化鍵変更条件成立フラグを出力してもよい（ステップＳＣ３）。また、コマーシャル検出区間に実行されてもよい。
【００４０】
上記の実施の形態では、予め設定した時間毎に暗号化鍵情報が切換えられるとした。しかしこれに限らず、オーディオ信号の切り替わり点の計数値に応じて暗号化鍵情報を変更するようにしてもよい。オーディオ信号の切り替わりとは、たとえばモノラルからステレオの切り替わりで、その間に無音区間がある場合である。このような切り替わり点は、チャプターの切り替わりやコマーシャル期間に対応することが多い。また、このような切り替わり点は、一定時間単位（例えば１５分単位或いは３０分単位）に到来することが多い。
【００４１】
そこで、図６に示すように、オーディオ信号の無音期間があったとき（ステップＳＤ１）、オーディオ信号切り替わり点と判定し（ステップＳＤ２）、計数が行なわれる。そして計数値が設定した値以上になったときに、暗号化鍵変更条件成立フラグを出力する（ステップＳＤ４）。本発明の実施形態は、上記の実施形態に限定されるものではない。
【００４２】
図８（Ａ）は、電子番組表の情報を用いて、暗号化鍵変更条件成立フラグを得るようにした場合の動作フローの例を示している。録画開始したとき、或いは装置に電源が投入されたときに、電子番組表の放送時間帯の情報から、コンテンツ保護を必要とする録画中番組の放送時間長を計算する（ステップＳＥ１）。次に、放送開始から放送時間長の（１／Ｙ）が経過したどうかを判定する（ステップＳＥ２）。ここでＹはユーザが入力した値である。放送時間長の（１／Ｙ）が経過した場合に、暗号化鍵変更条件成立フラグを出力する（ステップＳＥ３）。
【００４３】
例えばコンテンツ保護を必要とする録画中番組の放送時間長が、１２０分であり、Ｙ＝２であるとすると、録画開始から６０分経過すると暗号化鍵が変更されることになる。
【００４４】
図８（Ｂ）は、電子番組表の情報を用いて、暗号化鍵変更条件成立フラグを得るようにした場合の動作フローの別な例を示している。例えば、ユーザが時間帯を指定した際にひとつの録画内に複数の電子番組情報が跨っている場合もある。この場合装置では、電子番組情報が変わった時点で鍵変更条件成立フラグを出力する。
【００４５】
例えばコンテンツ保護を必要とする録画中時間が、９時から１１時の間であり、９時から１０時までと、１０時から１１時までで別番組であったら１０時の時点で暗号化鍵が変更されることになる。
【００４６】
図９（Ａ），図９（Ｂ）は、さらに他の実施の形態を示している。この実施の形態による機能は、例えば、鍵変更条件を設定するメニュー画面から自動を選択したときに動作するようにしてもよい。例えば、図９（Ａ）の実施形態の場合、記録のための光ディスクが装填されたとき、記録媒体で管理されている暗号化鍵の未使用個数情報を制御部５１に取得する（ステップＳＦ１）。次に、記録媒体の管理情報から、残り容量を計算し、コンテンツを記録可能な時間を推定する（ステップＳＦ２）。コンテンツは可変長圧縮されるために、記録可能な時間は、正確には得られないので、経験的な情報を採用して、推定する。そして、記録可能な時間に対して、暗号化鍵の未使用個数を均等に割付け（ステップＳＦ３）、鍵変更時間単位を算出する（ＳＦ４）。これにより、例えば図５の設定値を決める（ステップＳＦ５）。
【００４７】
図９（Ｂ）の例は、ユーザが未使用鍵の個数を参照できるようにし（（ステップ）ＳＧ１，ＳＧ２），ユーザが任意に、鍵変更時間単位を画面上から設定できるようにした例である（ステップＳＧ３，ＳＧ４）。
【００４８】
図１０の例は、鍵変更時間の設定に関して、画面３７１にユーザが選択できる項目が表示されるようにした例である。画面３７１にはコメントとして移動できる「移動可能なコンテンツの単位」が表示される。ここでいう録画単位の個数は使用できる暗号化鍵の個数をもとに決定される。また”単位をＡ時間単位にすると、全体で約Ｂ時間分のコンテンツに対する保護が可能です。どれか１つを選択してください”というようなコメントが現れる。そして、複数の時間単位と、これに対応した保護可能な時間が表示される。ユーザは、所望の時間単位の項目を、カーソルで選択して決定キーを操作する。これにより、例えば図５の設定値を決めることができる。
【００４９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５０】
【図１】この発明が適用された記録再生装置の構成ブロックの例を示す図である。
【図２】図１の装置の動作例を模式的に示す図である。
【図３】図１の装置の他の動作例を模式的に示す図である。
【図４】図１の装置が暗号化鍵を変更するときの動作例を示すフローチャートである。
【図５】図１の装置において、暗号化鍵変更条件が成立したかどうかを判定する例を示すフローチャートである。
【図６】図１の装置において、暗号化鍵変更条件が成立したかどうかを判定する他の例を示すフローチャートである。
【図７】図１の装置において、暗号化鍵変更条件が成立したかどうかを判定するさらに他の例を示すフローチャートである。
【図８】図８（Ａ）は、図１の装置において、暗号化鍵変更条件が成立したかどうかを判定するさらにまた他の例を示すフローチャートであり、図８Ｂは、図１の装置において、暗号化鍵変更条件が成立したかどうかを判定するさらにまた他の例を示すフローチャートである。
【図９】図１の装置において、暗号化鍵変更条件を決めるための動作例を示すフローチャートである。
【図１０】図１の装置において、暗号化鍵変更条件を決めるためのメニュー画面の例を示す図である。
【符号の説明】
【００５１】
２１…エンコーダ、２２…バッファメモリ、３１…デコーダ、３２…オーディオセレクタ、３５…ビデオミキシング部、３７…ディスプレイ、４１…暗号化復号化部、４２…記録再生処理部、４３…ディスクドライバ、４４…ハードディスクドライバ、４６…光ディスクドライバ、５１…制御部。
【図１】
2008005398.tif 000003
【図２】
2008005398.tif 000004
【図３】
2008005398.tif 000005
【図４】
2008005398.tif 000006
【図５】
2008005398.tif 000007
【図６】
2008005398.tif 000008
【図７】
2008005398.tif 000009
【図８】
2008005398.tif 000010
【図９】
2008005398.tif 000011
【図１０】
2008005398.tif 000012